(57)【要約】【課題】壁装材の厚さに拘わらず側縁部が正確に切断できる壁装材用のスリッタを提供する。【解決手段】壁装材（２）の搬送通路となるガイド面部（３）と、ガイド面部の両側端部領域に配置される回転刃（４ａ，４ｂ）と、ガイド面部ほぼ中央部に配置され、壁装材の繰出し長さを測定する検尺ロール（５）と、ガイド面部の検尺ロール並びに回転刃に対して、壁装材の搬送方向の上流側位置で、壁装材の全幅に亘ってガイド面部方向へ押圧された状態で配置されるテンションバー（６）と、壁装材を検尺ロール方向へ押圧して挟み込む検尺押さえ部（７）と、を備えたスリッタであって、搬送される壁装材のうち、少なくとも切断部に送られる壁装材の両側部分に対して張力を付与する張力付与手段（８ａ，８ｂ）を、テンションバーとは別に備えたことを特徴とする。【選択図】　　　　　図１
2004042205.tif 000002
【特許請求の範囲】
【請求項１】
壁紙糊付機内に搬送されるシート状壁装材の側縁部を搬送方向に沿って切断する壁装材用のスリッタであって、
前記搬送される壁装材を沿わせる搬送通路となるガイド面部と、
前記ガイド面部の両側端部領域に各々配置される切断用の回転刃と、
前記ガイド面部のほぼ中央部に配置され、前記搬送される壁装材の幅方向のほぼ中央部の裏面部に当接して前記壁装材の繰出し長さを測定する検尺ロールと、
前記ガイド面部の前記検尺ロール並びに前記回転刃に対して、前記壁装材の搬送方向の上流側位置で、前記壁装材の全幅に亘って前記ガイド面部方向へ押圧された状態で前記ガイド面部上に配置されるテンションバーと、
前記搬送される壁装材のうち、前記検尺ロールに当接する部分を含んだ中央部分の表面側に当接して、当該部分の壁装材を前記検尺ロール方向へ押圧して挟み込む検尺押さえ部と、を備えたスリッタであって、
前記搬送される壁装材のうち、少なくとも前記切断部に送られる壁装材の両側部分に対して張力を付与する張力付与手段を、
前記テンションバーとは別に備えたことを特徴とする壁装材用スリッタ。
【請求項２】
前記張力付与手段は、少なくとも前記切断部へ送られる壁装材の前記上流側部分の表面側に当接して押圧する抑え込み部を有し、
この抑え込み部が、前記ガイド面部の前記上流側端部より上流側の壁装材に当接するように構成されると共に、当該当接位置で、前記ガイド面部の表面より裏面側に回り込むように前記壁装材表面を押し込んで、前記壁装材の搬送経路を折り曲げる
ことを特徴とする請求項１に記載の壁装材のスリッタ。
【請求項３】
前記張力付与手段は、少なくとも前記切断部の前記上流側部分の表面側に当接して押圧する当接部を有し、
この当接部と前記ガイド面部との間に前記壁装材を挟み込むものである
ことを特徴とする請求項１に記載の壁装材のスリッタ。
【発明の詳細な説明】
【０００１】
【発明の属する技術分野】
本発明はシート状の壁装材の側縁部を切断する為の壁装材用スリッタに関するものである。
【０００２】
【従来の技術】
従来から用いられている壁装材の側縁部を切断する壁装材用のスリッタの一例について、図９〜図１１と共に説明する。図９〜図１１は従来の壁装材用スリッタの一例を示しており、このスリッタ９１は、搬送経路となるガイド面部３と、切断用の回転刃４ａ，４ｂと、検尺ロール５と、テンションバー６と、テンションボード（検尺押さえ部）５と、を備えて構成されたものである。
【０００３】
ガイド面部３は、壁装材２を沿わせて搬送させるための搬送通路となる部分であり、このスリッタ９１の後面部に形成された平面部からなるものであり、この平面部の表面に沿って壁装材２が糊付機へと搬送される。回転刃４ａ，４ｂは、ガイド面部３の側端部の各々の領域（壁装材の側縁部を切断できる領域）に配置された円形の一枚刃式のものである。検尺ロール５は、搬送される壁装材２の裏面側に当接し、その摩擦による追従回転数に基づいて壁装材２の繰出し長さを測定するものであり、ガイド面部３の中央部に配置され、壁装材２の幅方向の中央部の裏面部に当接する。
【０００４】
テンションバー６は、ガイド面部３の検尺ロール５並びに回転刃４ａ，４ｂに対して、壁装材２の搬送方向の上流側位置（検尺ロール並びに回転刃より壁装材供給部側の位置、図中下方）で、壁装材２の全幅に亘ってガイド面部３方向へ押圧された状態でガイド面部３上に配置されている。このテンションバー６が、壁装材２を全幅に亘ってガイド面部３方向へ押圧することにより壁装材２に張力を付与する構成としている。
【０００５】
即ち、壁装材２は糊付機本体内のピンチローラ（不図示）で引き込まれて糊付機内に搬送されるが、テンションバー６が壁装材２をガイド面部３方向へ押圧して、ピンチローラによる壁装材内への引き込みを妨げるように作用することにより、壁装材２が引張られて壁装材２に張力が付与されるのである。このテンションバー６で壁装材２に張力が付与されることにより、回転刃４ａ，４ｂによる壁装材２の側縁部の切断の際に、壁装材２が回転刃４ａ，４ｂによる押し上げや巻き込みによって浮き上がることを防止している。
【０００６】
テンションボード７は、搬送される壁装材２のうち、検尺ロール５に当接する部分を含んだ中央部分の表面側に当接して、当該部分の壁装材２を検尺ロール５方向へ押圧して挟み込むようになっている。検尺ロール５による測定精度は、壁装材２と当接した摩擦力に左右されるので、壁装材２との当接が十分でないと、検出ロール５が壁装材２の搬送に正しく追従せず、測定誤差が生じてしまう。これを防ぐ役割をするのが検尺押さえ部となるテンションボード７である。つまり、テンションボード７が壁装材２の中央部に当接して検尺ロール５方向へ押圧し、検尺ロール５との間で壁装材２を挟み込むことで、壁装材２と検尺ロール５との摩擦力を保持して、検尺ロール５の測定精度を良好に保っているのである。
【０００７】
ここで、テンションボード７の横幅は、検尺ロール５に対応した中央部分を含む一部であって、切断部となる回転刃４ａ，４ｂに相当する部分までは延びていない。これは、検尺ロール５回転刃４ａ，４ｂとが、ほぼ同じ高さ位置に設けられているためであり、テンションボード７を延ばすと回転刃４ａ，４ｂと干渉してしまうからである。
【０００８】
上記のようなスリッタでは、壁装材の装着時に、これらのテンションバー６とテンションボード７とを個別に操作する（セットする）のが面倒であるため、図９〜図１１に示すようにテンションバー６とテンションボード７とを一体的に構成して、軸部１１回りに回動すると一回の操作でテンションバー６とテンションボード７が付勢力によって壁装材２との当接を維持できるような従来例も存在する。
【０００９】
しかしながら、このような従来技術では、次のような問題があった。即ち、テンションバー６とテンションボード７とを一体構造とすると、壁装材２の厚さによっては壁装材に所定の張力を付与することができなくなってしまっていた。この問題について、図１０及び図１１と共に以下に詳述する。
【００１０】
壁装材用スリッタは、一般に、さまざまな厚さの壁装材に対して切断できるように設計を行う。そのためには、テンションバー６とテンションボード７とは、壁装材が最も厚い場合で十分な押圧力で壁装材に当接するように設計し、壁装材が少々薄くなっても押圧力（付勢力）の範囲内で壁装材への押圧を維持できるように設計しておけば良いことになるが、テンションボート７が検尺ロール５側へ押圧する位置（当接位置Ａ）と、テンションバー６がガイド面部３方向へ押圧する位置（当接位置Ｋ）とが異なるため、テンションバー６とテンションボード７とを同じ軸部１１回りに回動させて壁装材に当接させる際に、壁装材２をテンションバー６が十分にガイド面部３側に押圧できないという問題が生じるのである。
【００１１】
図１０は壁装材２の使用可能厚さが最大の場合のテンションバー６とテンションボード７の壁装材押圧状態が示されている。この状態では、図中矢印の方向へ付勢する付勢力によって、テンションボード７が壁装材２を押圧して検出ロール５に対して当接位置Ａで当接しており、良好な押圧状態であることが分かる。また、テンションバー６も壁装材２を押圧してガイド面部３に当接位置Ｋで当接しており、壁装材２がガイド面部３に沿って搬送される良好な押圧状態であることが分かる。この壁装材の厚さがスリッタ使用可能厚さの最大であるから、この厚さを設計条件とし、これより薄い壁装材のときには厚さの差を補うだけの付勢力を有するようにしておけば、薄い壁装材を切断する際にもある程度対応できることとなる。
【００１２】
しかし、さらに薄い壁装材を切断したい場合には、図１１に示すように、テンションボード７は付勢力によって壁装材２を押圧して検尺ロール５と当接位置Ａで当接した良好な状態を維持できるが、テンションバー６とテンションボード７が軸部１１回りに共に回動する一体構造となっているために、テンションボード７と検出ロール５との当接部（当接位置Ａ）でテンションバー６のガイド面部３方向への移動が拘束されてしまう。
【００１３】
そのため、テンションバー６が壁装材２をガイド面部３方向に十分に押圧することができなくなってしまうのである。つまり、壁装材が薄くて図１１に示すような状態となる場合には、壁装材２がテンションバー６によって十分にガイド面部３方向へ押圧されていないから、壁装材２に十分な張力が付与されないのである。極端な場合には、テンションバー６による壁装材２への押圧（当接）がほとんどない状態となり、テンションボード７と検尺ロール５とが当接する壁装材２のほぼ中央部以外の部分はガイド面部３から浮いた状態となってしまうこととなる。つまり、図１１に示すように隙間が生じるようになる。
【００１４】
このような状態で壁装材２が回転刃４ａ，４ｂの部分に搬送されると、回転刃４ａ，４ｂによる壁装材２の押し上げや、巻き込み等で切断面が動き、切断線が乱れてしまうこととなる。つまり、一直線できれいな切断線にならないといった問題が生じる。一直線に切断できないと、糊付された壁装材を壁等に貼り付けたときに、隣り合う壁装材の間に隙間が生じたり、壁装材が剥がれ易くなったり、あるいは壁装材の貼り直しが必要となるなどの深刻な問題に直結する。
【００１５】
また、仮にテンションバー６での押圧力がそこそこ機能していたとしても、テンションボード７が、検尺ロール５部分を含んだ中央部の領域にのみ作用する限定的な大きさであるために、両側部の切断部（回転刃４ａ，４ｂに触れる部分）と、中央部とでは、明らかに張力状態が異なる。このため、切断時に張力が中央部分より弱い両側部では、やはり切断線の乱れが生ずる場合がある。
【００１６】
【発明が解決しようとする課題】
本発明は、斯かる実情に鑑み、壁装材の側縁部が正確に切断できる壁装材用のスリッタを提供することを目的とする。本発明の別の目的は、異なる厚さの壁装材を使用する場合でも、壁装材に十分な張力を与えて、切断線に乱れが生じないスリッタを提供することにある。あるいは、搬送する壁装材の検尺ロール部分の挟み込みによる張力状態が強い場合には、切断部に向かう壁装材にも個別に張力が付与されるように構成されたスリッタを得ることを目的とする。
【００１７】
【課題を解決するための手段】
上述の目的を達成するため、請求項１に記載の発明によれば、壁紙糊付機内に搬送されるシート状壁装材の側縁部を搬送方向に沿って切断する壁装材用のスリッタであって、前記搬送される壁装材を沿わせる搬送通路となるガイド面部と、前記ガイド面部の両側端部領域に各々配置される切断用の回転刃と、前記ガイド面部のほぼ中央部に配置され、前記搬送される壁装材の幅方向のほぼ中央部の裏面部に当接して前記壁装材の繰出し長さを測定する検尺ロールと、前記ガイド面部の前記検尺ロール並びに前記回転刃に対して、前記壁装材の搬送方向の上流側位置で、前記壁装材の全幅に亘って前記ガイド面部方向へ押圧された状態で前記ガイド面部上に配置されるテンションバーと、前記搬送される壁装材のうち、前記検尺ロールに当接する部分を含んだ中央部分の表面側に当接して、当該部分の壁装材を前記検尺ロール方向へ押圧して挟み込む検尺押さえ部と、を備えたスリッタであって、前記搬送される壁装材のうち、少なくとも前記切断部に送られる壁装材の両側部分に対して張力を付与する張力付与手段を、前記テンションバーとは別に備えたことを特徴とする壁装材用スリッタを提供するものである。
【００１８】
また、請求項２に記載の発明によれば、請求項１に記載の壁装材のスリッタにおいて、前記張力付与手段は、少なくとも前記切断部へ送られる壁装材の前記上流側部分の表面側に当接して押圧する抑え込み部を有し、この抑え込み部が、前記ガイド面部の前記上流側端部より上流側の壁装材に当接するように構成されると共に、当該当接位置で、前記ガイド面部の表面より裏面側に回り込むように前記壁装材表面を押し込んで、前記壁装材の搬送経路を折り曲げることを特徴とするものである。
【００１９】
また、請求項３に記載の発明によれば、請求項１に記載の壁装材のスリッタにおいて、前記張力付与手段は、少なくとも前記切断部の前記上流側部分の表面側に当接して押圧する当接部を有し、この当接部と前記ガイド面部との間に前記壁装材を挟み込むものであることを特徴としている。
【００２０】
本発明の壁装材用のスリッタは、シート状の壁装材の側縁部を搬送方向（壁装材の送り方向）に沿って切断するものであり、ガイド面部と、回転刃と、検尺ロールと、テンションバーと、検尺押さえ部（テンションボード他）と、を備えている。これらの構成は前述した従来技術に相当するものであるため、ここでの各構成の説明は省略する。
【００２１】
更に、本発明のスリッタは、上記の構成に加えて、搬送される壁装材のうち、少なくとも切断部（回転刃が配設された部分に搬送される壁装材の部分）に対して張力を付与する張力付与手段を、前記前記テンションバーとは別に備えて構成されることに特徴を有するものである。
【００２２】
本発明の張力付与手段は、壁装材に張力を付与することができるもの全てを含むものであって、少なくとも切断部に張力を付与できる構成のものであれば特に限定されるものではない。例えば、搬送される壁装材を何らかの部材で押し込んで搬送方向に対する抵抗とすることにより張力を付与しても、壁装材を何らかの部材で挟み込んで搬送方向に対する抵抗とすることにより張力を付与しても、その他の方法で張力を付与しても、張力を壁装材に付与できる限り本発明の張力付与手段に該当するのである。
【００２３】
この張力付与手段をテンションバーとは別に備えることにより、検尺押さえ部により張力が付与された中央部周辺部分と、検尺押さえ部による張力が働かない両側部との張力の差を是正して、切断部にも適切な張力を付与することで、切断時に壁装材の浮きや巻き込み等に伴う切断線の乱れの発生を防止できる。
【００２４】
特に、従来例のように検尺押さえ部としてのテンションボードとテンションバーとが一体構造である場合には、一体構造としたことによる上記従来技術の問題を解決することができる。つまり、上記従来の技術では、壁装材が薄い場合に十分な張力を壁装材に付与できなかったが、本発明の如く両側部の切断領域に作用する張力付与手段を別に備えることにより、薄い壁装材でも十分な張力を切断部にも付与することができる。
【００２５】
よって、搬送される壁装材が回転刃で切断される際に、壁装材の幅方向の位置における張力の違いから回転刃による壁装材の押し上げや巻き込み等で切断面が動いて、切断線が乱れるようなことはない。即ち、壁装材を一直線できれいな切断線で切断できるのである。これにより、糊付された壁装材を壁などに貼り付けたときに、隣り合う壁装材に隙間が生じることはなく、剥がれ難いものとなり、しかも、壁装材の貼り直しもなくなる。
【００２６】
さらに、従来例のように検尺押さえ部であるテンションボードとテンションバーとを一体的に設けた場合には、壁装材の厚みの差異により壁装材に付加される張力が異なる事態が生じていたが、本発明では、切断部となる両側部に作用する張力付与手段を、少なくともテンションバーとは別に備えたので、上記従来技術の利点は損なっていない。つまり、テンションボードとテンションバーを一体構造としたことによる操作利便性を維持したまま、従来技術の問題を解決しているのである。
【００２７】
また、検尺ロールと切断部（回転刃）との配置構成によっては、テンションボードを少なくとも切断部を含んだ大きさ、例えば、全幅に亘る長さの物とすることで、検尺押さえ部と張力付与手段とを兼ねたテンションボード等を構成することも可能である。この場合には、個別の設定動作がまとめてできる利点が更に加わる。
【００２８】
なお、この張力付与手段は、搬送される壁装材のうち少なくとも切断部に対して張力を付与するものであれば良い。壁装材の少なくとも切断部に張力が付与されていれば、回転刃による壁装材の押し上げ、巻き込み等で切断面が動いてしまうのを防ぐことができ、切断線が乱れず良好なものとすることができるからである。
【００２９】
また、張力付与手段が壁装材に付与する張力は、壁装材の搬送が可能な範囲内であって、壁装材の厚さや回転刃の仕様（形状、回転数など）などを考慮して、壁装材が切断される際に回転刃による押し上げや巻き込みを防止できる程度であれば良く、実際のスリッタごとの構成などに応じて適時定められる。
【００３０】
この張力付与手段の態様例としては、搬送される壁装材を何らかの部材で押し込んで搬送経路を折り曲げて壁装材に張力を付与するような構成が挙げられる。より詳細に言えば、張力付与手段は、少なくとも切断部の上流側部分（壁装材の糊付機への供給元側）の表面側に当接して押圧する抑え込み部を有し、この抑え込み部が、ガイド面部の上流側端部より上流側の壁装材に当接するように構成されると共に、当該当接位置で、ガイド面部の表面より裏面側に回り込むように壁装材表面を押し込んで、前記壁装材の搬送経路を折り曲げるように構成される。
【００３１】
この構成によれば、抑え込み部がガイド面部の上流側端部より上流側の壁装材に当接して、この当接位置で壁装材をガイド面部の表面より裏面側へ回り込むように押し込んで搬送経路を折り曲げているから、この抑え込み部により張力が付与されることとなる。つまり、壁装材は例えば壁紙糊付機内のピンチローラによって糊付機内へ引き込まれるが、抑え込み部が壁装材を押し込んで搬送経路を折り曲げているから、この抑え込み部による壁装材の押し込みがピンチローラによる壁装材の引き込み方向（搬送方向）とは逆向きに抵抗となって作用し、壁装材が抑え込み部とピンチローラとで引張られるようになる。この引張りが搬送される壁装材へ張力として付与されるのである。
【００３２】
よって、十分な張力が付与された壁装材は、回転刃の押し上げや巻き込み等によって切断面が動くことを防止でき、切断線が一直線できれいなものとなる。そして、壁などに壁装材を貼り付けても隙間が生じず、剥がれ難くなり、壁装材の貼り直しもなくなる。
【００３３】
なお、本発明の抑え込み部は、壁装材を傷つけることなく当接して押し込める構造のものであれば良い。また、抑え込み部が壁装材に当接する位置は少なくとも切断部の上流側部分であって、より好ましくは、近傍位置がよい。壁装材の切断面に確実に張力を付与することで、切断部の壁装材が動かないようにしていれば、切断線が乱れることはないからである。
【００３４】
この抑え込み部は、ガイド面部の上流側端部より上流側の位置で壁装材を当接するように構成され、かつ、ガイド面部の裏面側へ押し込むように構成されていれば、そこで、搬送経路に折れ曲がり部が構成されるので、切断部にも適当な張力が付与される。この張力が、切断線を乱さない程度に付加される構造であれば、その具体的な構成は、特に制限されるものではない。
【００３５】
より好ましくは、抑え込み部が壁装材と当接する位置は、ガイド面部の上流側端部の近傍の上流側である。この抑え込み部による壁装材の搬送経路の折り曲げ部分とガイド面部に配置された回転刃との距離がより近くなり、回転刃による切断の際に、壁装材の切断面が動くのをより確実に防止できるからである。
【００３６】
また、別の態様例としては、壁装材を何らかの部材で挟み込んで壁装材に張力を付与するような構成が挙げられる。より詳細に言えば、張力付与手段は、少なくとも切断部の上流側部分の表面側に当接して押圧する当接部を有し、この当接部とガイド面部との間に壁装材を挟み込む構成としている。
【００３７】
この構成では、当接部が少なくとも切断部の上流側部分で壁装材に表面側から当接してガイド面部との間に壁装材を押圧しながら挟み込んでいるから、当接部が壁装材の搬送方向に対する抵抗となって壁装材に張力を付与している。
【００３８】
即ち、壁装材は糊付機内のピンチローラによって糊付機内へ引き込まれるが、当接部が壁装材に当接して、壁装材を押圧しながらガイド面部との間で挟み込んでいるから、この当接部による壁装材の押圧がピンチローラによる壁装材の引き込み方向（搬送方向）とは逆向きに抵抗となって作用し、壁装材が当接部とピンチローラとで引張られるようになる。この引張りが壁装材へ張力として付与されるのである。
【００３９】
このような構成においても、十分な張力が付与された壁装材は、回転刃の押し上げや巻き込み等によって切断面が動くことを防止でき、切断線が一直線できれいなものとなる。そして、壁などに壁装材を貼り付けても隙間が生じず、剥がれ難くなり、壁装材の貼り直しもなくなる。
【００４０】
なお、本発明の当接部は、壁装材を傷つけることなく当接してガイド面部との間に壁装材を押圧しながら挟み込める構造のものであれば良い。押圧する手段も、構造に合わせて適宜決定することができる。例えば、バネで付勢して壁装材を押圧すれば良い。
【００４１】
また、当接部が壁装材に当接する位置は、少なくとも切断部の上流側部分であれば何れの位置でも構わない。壁装材の切断面が動かなければ、切断線が乱れることはないからである。但し、この当接位置は、ガイド面部上で壁装材を挟み込める位置の範囲内である。
【００４２】
より好ましくは、当接部が壁装材と当接する位置は、切断部の上流側部分で回転刃の近傍の位置である。当接部による壁装材の押圧位置と回転刃の位置との距離が短くなり、回転刃による切断の際に、壁装材の切断面が動くのをより確実に防止できるからである。
【００４３】
なお、以上の全ての発明において、前記検尺押さえ部と前記テンションバーとが一体的に設けられているものである場合に、前記張力付与手段を前記テンションバーに一体的に設けたものであっても良い。この場合には、張力付与手段もテンションバーなどのセットを同時に行えるので、操作が便利である。
【００４４】
また、従来例のように、回転刃と検尺ロールとがガイド面部のほぼ同じ高さ位置（搬送方向の同じ位置近傍）にある場合には、検尺押さえ部を全幅に亘る構成とすると、切断部にも当接して、回転刃に干渉することになり、テンションバーとかがセットできないか、あるいは、回転刃で切断できない問題も生ずる。
【００４５】
このような場合には、例えば、回転刃の配設位置をガイド面部の検尺ロールの配置位置より下流側に設けることで解消できる。即ち、ガイド面部に検尺ロールを設けたスリッタにおいて、ガイド面部に設けた回転刃を、壁装材の搬送方向で下流側にずらした状態で配置構成したものであれば、テンションバーに一体的に設けられた検尺押さえ部となるテンションボードと、一体的に、あるいは別体でも、張力付与手段を設けることができる。
【００４６】
この場合には、例えば、テンションボードを全幅に亘る長さとした場合には、略中央部の周辺が検尺押さえ部として機能し、両側部が張力付与手段として機能する。これにより、壁装材の切断部にも確実に張力が付加されて、正確な切断が行われる。なお、テンションボード状の物をテンションバーに複数設け、その中の幾つかを検尺押さえ部として用い、他の幾つかを張力付加手段として用いても良い。
【００４７】
なお、以上のように説明したスリッタを、壁紙糊付機に一体的に設けたものを構成しても良い。切断線に乱れが生じないスリッタ部を備えることで、糊付された壁紙では、両側部の切断線が正確に形成された物が得られる利点がある。
【００４８】
【発明の実施の形態】
以下、本発明の実施の形態を図示例と共に説明する。まず、図１及び図２と共に本発明の第一実施形態に係る壁装材用のスリッタを説明する。図１及び図２に示すスリッタ１は、壁装材２を沿わせて搬送する搬送通路となるガイド面部３と、回転刃４ａ，４ｂと、壁装材２の繰出し長さを測定する検尺ロール５と、壁装材２の全幅に亘ってガイド面部３方向へ押圧された状態でガイド面部３上に配置されるテンションバー６と、壁装材２を検尺ロール５方向へ押圧して挟み込む検尺押さえ部であるテンションボード７とを備えている。
【００４９】
そして、張力付与手段としての抑え込み部となる抑え板８ａ，８ｂを、テンションボード７並びにテンションバー６とは別に備えて構成されている。ガイド面部３は、この領域の壁装材２の裏面部分が平面状態で搬送されるように、スリッタの裏面側壁面部に平面状に構成されており、この平面部に壁装材２が沿って糊付機内へ搬送されていくので、ここが搬送経路となる。
【００５０】
このガイド面部３の側端部領域には、一枚刃式（一枚の円形刃物の回転で切断する形式の刃）の回転刃４ａ，４ｂが夫々配置されており、この回転刃４ａ，４ｂの高速回転（図１中時計回り方向の回転）によって壁装材２の側縁の両側が切断される。回転刃４ａ，４ｂを配置する位置は、壁装材２の側縁部（いわゆる耳）をどれだけ切断するかによって適宜決定すれば良いので、左右方向の位置が可変に構成されている。よって、側端部領域は壁装材２の切断条件に応じて任意に定まるものである。そして、この可変領域を含んだ両側部が壁装材の切断部となる。
【００５１】
検出ロール５は、壁装材２の裏面側に当接するようにガイド面部３のほぼ中央の内側で、ロールの一部がガイド面部から突出するように配置されており、壁装材２の搬送に伴って検出ロール５自身の回転数（距離）によって壁装材２の繰出し長さが測定される。この検尺ロール５の仕様は、測定精度、使用環境などを考慮して好適なものを選定しておけば良い。
【００５２】
テンションバー６は、壁装材２の全幅を超える長さの丸棒部材であり、軸部１１回りに上下方向に回動可能に構成される。軸部１１回りに上方向に回動してテンションバー６が図１に示す状態のときに、バネ部材（不図示）の付勢力で図１中の矢印の方向（ガイド面部３方向）に押圧状態を維持するようになっている。このテンションバー６は、ガイド面部３上で、検尺ロール５並びに回転刃４ａ，４ｂより上流側（図２における下側）に配置されている。
【００５３】
テンションボード７は、幅広の長方形状の板部材で構成され、側面視で先端部が全幅に亘りガイド面部３と反対の方向へ反った湾曲形状となっており、テンションバー６の中央部分に取り付けられている。その幅は、幅方向で回転刃４ａ，４ｂの内側の間隔より短い長さとなっていて、従来例と同様に回転刃４ａ，４ｂに緩衝しない位置である。
【００５４】
テンションバー６が軸部１１回りに回動すると、テンションボード７も一緒に回動し、バネ部材の付勢力で図１中の矢印方向へ付勢される。この付勢力によって、テンションボード７の湾曲形状部分が当接位置Ａで壁装材２と当接しながら検尺ロール５側へ壁装材２を押圧している。これにより、当接位置Ａで壁装材２は検尺ロール５とテンションボード７で挟み込まれることとなり、検尺ロール５から壁装材２が離れることがない。よって、検尺ロール５の壁装材２の繰出し長さの測定が正確に行えることとなる。
【００５５】
抑え板８ａ，８ｂは、それぞれテンションボード７より幅の狭い長方形状の板部材で構成され、先端部が全幅に亘りガイド面部３と反対の方向へ反った湾曲形状となっており、テンションバー６の両端近傍部分（テンションボード７の外側部分）にそれぞれ取り付けられている。この幅は、回転刃４ａ，４ｂの可動領域を概ね覆い、回転刃が当接する壁装材２の切断部に張力を付与できる構成であればよい。
【００５６】
さらに、この抑え板８ａ，８ｂは、図１の状態で、ガイド面部３上の壁装材の搬送通路よりも右側（ガイド面部３の裏面側）に少なくとも先端部（湾曲した反りかえり部分）が延びた構成となっている。よって、テンションバー６が軸部１１回りに回動すると、抑え板８ａ，８ｂも一緒に回動し、バネ部材の付勢力で図１中の矢印方向へ同様に付勢状態が維持されるが、このとき、この付勢力で抑え板８ａ，８ｂの湾曲形状部分が壁装材２をガイド面部３の裏面側へ押し込み、当接位置Ｂ，Ｃで壁装材２の搬送通路をガイド面部３の上流側端部より上流側（図１の下側）に折り曲げることができるようになる。
【００５７】
このように構成されたスリッタ１を用いて壁装材２を切断する場合には、まず、壁装材２をスリッタ１内へ搬送して、テンションバー６を軸部１１回りに回動させて図１の状態にする。この状態では、テンションボード６が検尺ロール５に対して壁装材２を付勢力で押圧して挟み込んでおり、また、抑え板８ａ，８ｂが壁装材２の搬送通路を折り曲げている。よって、壁装材２は当接位置Ｂ，Ｃで十分な張力が付与される。
【００５８】
従って、抑え板８ａ，８ｂで壁装材２の切断部にも十分な張力が付与された壁装材２は、回転刃４ａ，４ｂで切断する際に、回転刃４ａ，４ｂによる壁装材２の押し上げや巻き込みが防止でき、切断面が乱れることがなくなる。よって、壁装材２の側縁部は一直線で正確な切断線で切断されるようになり、この切断された壁装材を糊付機で糊付すれば、壁装材を壁などに貼り付けても隙間が生じず、剥がれ難くなるのである。そして、壁装材を貼り付けた壁の仕上がりがきれいなものとなり、壁装材の貼り直しもなくなる。
【００５９】
本実施形態のように構成すれば、仮に、壁装材２が薄くても、図１に示すように壁装材２の当接位置Ｂ，Ｃで確実に壁装材２を折り曲げるように押圧して張力を付与できるから、壁装材２の厚さに関係無く良好な切断をすることができるのである。
【００６０】
なお、壁装材２をスリッタ１に搬送する手前の位置でテンションロール９によって壁装材２のシワなどを延ばしておくと壁装材２の切断がより良好となる。また、この実施形態では、張力付与手段は、切断部のみに作用する形状としているが、少なく無くとも切断部に張力が付与できればよいのであって、例えば、幅方向のほぼ全幅に亘って設けても良く、それを次の実施形態で説明する。
【００６１】
本発明の第二実施形態に係る壁装材用のスリッタを図３と共に説明する。第二実施形態に係るスリッタ３１は、図３に示すように基本構成は第一実施形態に係るスリッタ１と同様であるため、相当する部分については同一符号を付し、ここでの説明は省略する。
【００６２】
第二実施形態に係るスリッタ３１では、テンションボード３７と抑え板３８の構成が第一実施形態に係るスリッタ１と異なっている点に大きな特徴を有する。即ち、本実施形態では、テンションボード３７は、テンションバー６の上流側（図４の上側）に張り出した弾性力を有する板状部材からなり、テンションバー６の中央部の一部に一体的に設けられている。また、張力付与手段としての抑え込み部である抑え板３８は、テンションバー６の下流側（図４の下側）に張り出し弾性力を有する板状部材からなり、テンションバー６のほぼ全長に亘って一体的に設けられている。
【００６３】
この構成では、抑え板３８が壁装材２を当接位置Ｄで幅方向のほぼ全体にガイド面部３の方向へ押圧して折り曲げるようにできるから、壁装材２（の少なくとも切断部に）により十分な張力を付与することができる利点がある。
【００６４】
しかも、テンションボード３７及び抑え板３８が共に弾性力を有しているから、この弾性力によって壁装材２を押圧することができるので、よりテンションバー６の付勢力だけで壁装材２を押圧するのに比べてより確実に壁装材２を押圧して張力を付与することができることとなる。よって、切断線をより一層正確で、きれいなものにできる。
【００６５】
次に、本発明の第三実施形態に係る壁装材用のスリッタを図４及び図５と共に説明する。第三実施形態では、検尺ロール５の配設位置より下流側に回転刃４ａ，４ｂを設けることで、従来のテンションボードで回転刃にテンションボードが干渉することを回避したものである。
【００６６】
即ち、第三実施形態に係るスリッタ５１では、張力付与手段としての当接部である当て板１０ａ，１０ｂを、側面視ではテンションボード７とほぼ同じ構成で、幅方向の両側部近傍にそれぞれ設けている。テンションボード７自体は、従来例と同様に中央部の検尺ロール５に対応した部分を含む一部の領域に当接するような構成である。そして、この当て板１０ａ，１０ｂは、壁装材２の切断部に相当する領域（回転刃の可動範囲を含む）に張力が付与されるように構成されている。
【００６７】
本実施形態における当て板１０ａ，１０ｂは、それぞれテンションボード７よりは幅の狭い長方形状の弾性がある板部材で構成され、先端部が全幅に亘りガイド面部３と反対の方向へ反った湾曲形状となっており、テンションバー６の両端部分近傍（テンションボード７の両側部外側）にそれぞれ取り付けられている。よって、テンションバー６が軸部１１回りに回動すると、当て板１０ａ，１０ｂも一緒に回動して当接位置Ｅ，Ｆで壁装材２と当接すると共に、バネ部材（不図示）の付勢力で図５中の矢印方向へ壁装材２を押圧してガイド面部３との間に壁装材を挟み込むことができるようになっている。
【００６８】
この構成でも、切断部に相当する当接位置（領域）Ｅ，Ｆで、当て板１０ａ，１０ｂが壁装材２の搬送方向に対して抵抗となって十分な張力が付与されるから、壁装材２を回転刃４ａ，４ｂで切断する際に壁装材２が浮き上がって切断線が乱れることがない。つまり、壁装材２の切り口が正確な一直線の切断線となる。
【００６９】
この実施形態では、当て板１０ａ，１０ｂが壁装材２と当接する位置Ｅ，Ｆを回転刃４ａ，４ｂの上流側近傍位置にすることができるから、回転刃４ａ，４ｂによって壁装材２が押し上げられたり、巻き込まれたりして浮き上がるのを効果的に防止できる利点がある。
【００７０】
なお、この実施形態では、テンションボード７と当て板１０ａ，１０ｂとをそれぞれ別個に設けたが、テンションボード７と側面視が同様な当て板２０をほぼ全幅亘る一体的な物としても設けても良い。即ち、図６及び図７に示すような第四実施形態に係るスリッタ７１では、検尺ロール５の配設位置より下流側に回転刃４ａ，４ｂを配置構成しているので、テンションボードを両側部まで延ばしても回転刃に干渉しない。そこで、壁装材２のほぼ全幅に亘る当て板２０を設けることで、中央部（当接位置Ａの領域）を検尺押さえ部として利用し、両側部（近傍領域：当接位置Ｇ，Ｈの領域）を張力付与手段として機能させても良い。
【００７１】
また、更に別の実施態様では、図示するように、仮に、検尺ロール５の配設位置と回転刃４ａ，４ｂとの配置構成とが、同じ高さ位置（テンションボードを両側部まで延ばしたら干渉する位置）である場合には、従来の中央部にのみ作用するテンションボードの両側部に、別個の当て板部８８ａ，８８ｂを設け、その当て板部の当接位置（Ｉ，Ｊ）が、壁装材の切断部に該当する領域であって、テンションボードの当接位置より上流側で、かつ、テンションバーの下流側になるように構成しても良い。このように構成したスリッタ８１は、本発明の第五実施形態として図８に示している。
【００７２】
この場合には、壁装材２の厚み変化に対応するために、あて板部の弾力や傾斜角度などをテンションボードとは異なるように構成し、薄い壁装材を使用しても、切断部に適当な張力が付与される構成であれば、特に限定される物ではない。
【００７３】
【発明の効果】
以上、説明したように本発明に係る壁装材用スリッタによれば、シート状の壁装材を一枚刃式の回転刃で切断する際に、壁装材の厚さに拘わらず正確に一直線に側縁部を切断できるという優れた効果を奏し得る。よって、糊付機で糊付された壁装材を壁などに貼り付けたときに、壁装材間に隙間が生じことがないから、壁装材の貼り直しもなくなる。しかも、壁などに壁装材を貼った仕上がりがきれいなものとなる。
【図面の簡単な説明】
【図１】本発明の第一実施形態に係る壁装材用のスリッタの概略側面図である。
【図２】本発明の第一実施形態に係る壁装材用のスリッタの概略正面図である。
【図３】本発明の第二実施形態に係る壁装材用のスリッタの概略正面図である。
【図４】本発明の第三実施形態に係る壁装材用のスリッタの概略側面図である。
【図５】本発明の第三実施形態に係る壁装材用のスリッタの概略正面図である。
【図６】本発明の第四実施形態に係る壁装材用のスリッタの概略側面図である。
【図７】本発明の第四実施形態に係る壁装材用のスリッタの概略正面図である。
【図８】本発明の第五実施形態に係る壁装材用のスリッタの概略正面図である。
【図９】従来の壁装材用のスリッタの概略正面図である。
【図１０】壁装材の厚さが厚い場合における従来の壁装材用のスリッタの概略側面図である。
【図１１】壁装材の厚さが厚い場合における従来の壁装材用のスリッタの概略側面図である。
【符号の説明】
１，３１，５１，７１，８１：スリッタ
２：壁装材
３：ガイド面部
４ａ，４ｂ：回転刃
５：検尺ロール
６：テンションバー
７，３７：テンションボード
８ａ，８ｂ，３８，８８ａ，８８ｂ：抑え板
１０ａ，１０ｂ，２０：当て板
Ａ〜Ｋ：当接位置
【図１】
2004042205.tif 000003
【図２】
2004042205.tif 000004
【図３】
2004042205.tif 000005
【図４】
2004042205.tif 000006
【図５】
2004042205.tif 000007
【図６】
2004042205.tif 000008
【図７】
2004042205.tif 000009
【図８】
2004042205.tif 000010
【図９】
2004042205.tif 000011
【図１０】
2004042205.tif 000012
【図１１】
2004042205.tif 000013